(57)【要約】【課題】  所望の画像が含まれている撮影画像のみをサムネイル表示することができる画像表示装置、撮影装置及び画像表示方法を得る。【解決手段】  メモリカード５２に記録されている画像データにより各々示される複数の撮影画像をＬＣＤ（液晶ディスプレイ）３８によってサムネイルとして表示するにあたり、操作部５６を介して表示対象とする撮影画像の条件を示す表示条件情報を入力し、ＣＰＵ４０により、入力した表示条件情報により示される条件に合致する撮影画像を前記複数の撮影画像から検索し、検索した撮影画像がＬＣＤ３８によりサムネイルとして表示されるように制御する。【選択図】        図２
2006237963.tif 000002
【特許請求の範囲】
【請求項１】
撮影によって得られた画像データにより各々示される複数の撮影画像をサムネイルとして表示する画像表示装置であって、
前記サムネイルが表示される表示手段と、
表示対象とする撮影画像の条件を示す表示条件情報を入力する入力手段と、
前記入力手段によって入力された表示条件情報により示される条件に合致する撮影画像を前記複数の撮影画像から検索する検索手段と、
前記検索手段によって検索された撮影画像が前記表示手段によりサムネイルとして表示されるように制御する表示制御手段と、
を備えた画像表示装置。
【請求項２】
前記複数の撮影画像毎の撮影時における撮影条件を示す撮影条件情報が記憶された記憶手段を更に備え、
前記検索手段は、前記入力手段によって入力された表示条件情報により示される条件に撮影条件が合致する撮影画像を前記複数の撮影画像から検索する
請求項１記載の画像表示装置。
【請求項３】
前記撮影条件に、合焦点距離、露出値、及び撮影時刻の少なくとも１つを含めた
請求項２記載の画像表示装置。
【請求項４】
前記表示条件情報によって示される条件を、特定人物が含まれる撮影画像及び指定された時刻範囲内に撮影された撮影画像の少なくとも一方とした
請求項１乃至請求項３の何れか１項記載の画像表示装置。
【請求項５】
請求項１乃至請求項４の何れか１項記載の画像表示装置と、
撮影によって前記画像データを得る撮像手段と、
を備えた撮影装置。
【請求項６】
撮影によって得られた画像データにより各々示される複数の撮影画像をサムネイルとして表示する画像表示方法であって、
表示対象とする撮影画像の条件を示す表示条件情報を入力し、
入力した表示条件情報により示される条件に合致する撮影画像を前記複数の撮影画像から検索し、
検索した撮影画像が表示手段によりサムネイルとして表示されるように制御する、
画像表示方法。
【発明の詳細な説明】
【技術分野】
【０００１】
本発明は、画像表示装置、撮影装置及び画像表示方法に係り、特に、撮影によって得られた画像データにより各々示される複数の撮影画像をサムネイルとして表示する画像表示装置、撮影装置及び画像表示方法に関する。
【背景技術】
【０００２】
近年、ＣＣＤ（Charge Coupled Device）エリアセンサ、ＣＭＯＳ（Complementary Metal Oxide Semiconductor）イメージ・センサ等の撮像素子の高解像度化に伴い、デジタルカメラ、携帯電話機、ＰＤＡ（Personal Digital Assistant，携帯情報端末）等の撮影機能を有する情報機器の需要が急増している。
【０００３】
ところで、この種の情報機器では、一般に、撮影によって得られた被写体像を示す画像データは電子化ファイルとしてスマートメディア（登録商標）、ｘＤピクチャカード（登録商標）等の可搬型の記録メディアに記録されるが、当該電子化ファイルとして記録されている複数の被写体像をユーザに対して明示するため、当該複数の被写体像を縮小してサムネイル（Thumbnail）として一覧表示するサムネイル表示機能が設けられている場合が多い。
【０００４】
一方、以上のようなサムネイル表示機能では、一般に、最初に記録された画像又は最後に記録された画像から順に所定数の画像がサムネイルとして表示されるため、撮影に失敗した画像（ブレ量が所定値以上の撮影画像又は露出値が所定値以下の撮影画像）だけを同一画面上で確認したい、というニーズに応えられるものではなかった。
【０００５】
この問題を解決するために、特許文献１には、被写体像を撮像し画像を生成する撮像手段と、前記画像を複数記録する記録手段を有し、前記記録手段に記録された複数の画像のうち、ブレ量が所定値以上の画像及び露出値が所定値以下の画像を検索して表示する技術が開示されている。
【特許文献１】特開２００２−２４７４２８公報
【発明の開示】
【発明が解決しようとする課題】
【０００６】
ところで、複数の撮影画像の中から、所望の画像が含まれている撮影画像のみを検索して一覧表示したい場合がある。
【０００７】
これに対し、特許文献１に開示されている技術では、表示対象とする画像が撮影に失敗した画像（ブレ量が所定値以上の画像及び露出値が所定値以下の画像）のみに固定されているため、所望の画像が含まれている撮影画像のみをサムネイル表示することはできない、という問題点があった。
【０００８】
本発明は上記問題点を解決するためになされたものであり、所望の画像が含まれている撮影画像のみをサムネイル表示することができる画像表示装置、撮影装置及び画像表示方法を提供することを目的とする。
【課題を解決するための手段】
【０００９】
上記目的を達成するために、請求項１記載の画像表示装置は、撮影によって得られた画像データにより各々示される複数の撮影画像をサムネイルとして表示する画像表示装置であって、前記サムネイルが表示される表示手段と、表示対象とする撮影画像の条件を示す表示条件情報を入力する入力手段と、前記入力手段によって入力された表示条件情報により示される条件に合致する撮影画像を前記複数の撮影画像から検索する検索手段と、前記検索手段によって検索された撮影画像が前記表示手段によりサムネイルとして表示されるように制御する表示制御手段と、を備えている。
【００１０】
請求項１に記載の画像表示装置は、撮影によって得られた画像データにより各々示される複数の撮影画像をサムネイルとして表示するものとされており、前記サムネイルが表示手段によって表示される。なお、上記表示手段には、液晶ディスプレイ、プラズマディスプレイ、有機ＥＬディスプレイ、ＣＲＴディスプレイ等の各種ディスプレイが含まれる。
【００１１】
ここで、本発明では、表示対象とする撮影画像の条件を示す表示条件情報が入力手段によって入力され、入力された表示条件情報により示される条件に合致する撮影画像が検索手段によって前記複数の撮影画像から検索されて、検索された撮影画像が前記表示手段によりサムネイルとして表示されるように表示制御手段によって制御される。なお、上記入力手段による表示条件情報の入力には、キーボード、マウス、トラックボール、タッチパネル、タブレット等の入力デバイスを用いた入力の他、ネットワーク等の通信網を介した外部装置からの入力が含まれる。
【００１２】
このように、請求項１に記載の画像表示装置によれば、撮影によって得られた画像データにより各々示される複数の撮影画像をサムネイルとして表示するにあたり、表示対象とする撮影画像の条件を示す表示条件情報を入力し、入力した表示条件情報により示される条件に合致する撮影画像を前記複数の撮影画像から検索し、検索した撮影画像が表示手段によりサムネイルとして表示されるように制御しているので、前記表示条件情報として所望の画像が含まれている撮影画像が特定できる情報を入力することにより、所望の画像が含まれている撮影画像のみをサムネイル表示することができる。
【００１３】
なお、本発明は、請求項２に記載の発明のように、前記複数の撮影画像毎の撮影時における撮影条件を示す撮影条件情報が記憶された記憶手段を更に備え、前記検索手段は、前記入力手段によって入力された表示条件情報により示される条件に撮影条件が合致する撮影画像を前記複数の撮影画像から検索するものとしてもよい。これによって、撮影画像そのものを用いて検索する場合に比較して、より的確に所望の画像が含まれている撮影画像のみをサムネイル表示することができる。
【００１４】
なお、上記記憶手段には、ＲＡＭ（Random Access Memory）、ＥＥＰＲＯＭ（Electrically Erasable and Programmable ROM）、フラッシュＥＥＰＲＯＭ（Flash EEPROM）等の記憶素子、スマートメディア（登録商標）、フレキシブルディスク等の可搬型の記録媒体やハードディスク等の固定記録媒体、或いはネットワークに接続されたサーバ・コンピュータ等に設けられた外部記憶装置が含まれる。
【００１５】
特に、請求項２に記載の発明は、請求項３に記載の発明のように、前記撮影条件に、合焦点距離、露出値、及び撮影時刻の少なくとも１つを含めたものとしてもよい。前記撮影条件に合焦点距離を含めた場合は、撮影画像における主要被写体までの距離を判断することができる結果、主要被写体が人物であるのか風景であるのか、といったことを判断することができる。また、前記撮影条件に露出値を含めた場合は、撮影画像が日中に撮影されたものであるのか夜間に撮影されたものであるのか、といったことを判断することができる。更に、前記撮影条件に撮影時刻を含めた場合は、撮影画像の撮影時刻を判断することができる。
【００１６】
また、本発明は、請求項４に記載の発明のように、前記表示条件情報によって示される条件を、特定人物が含まれる撮影画像及び指定された時刻範囲内に撮影された撮影画像の少なくとも一方としてもよい。これによって、指定された人物が写っている撮影画像及び指定された時刻範囲内に撮影された撮影画像の少なくとも一方をサムネイル表示することができる。
【００１７】
一方、上記目的を達成するために、請求項５記載の撮影装置は、請求項１乃至請求項４の何れか１項記載の画像表示装置と、撮影によって前記画像データを得る撮像手段と、を備えている。
【００１８】
従って、請求項５に記載の撮影装置によれば、本発明の画像表示装置と同様に作用するので、当該画像表示装置と同様に、所望の画像が含まれている撮影画像のみをサムネイル表示することができる。なお、上記撮像手段には、ＣＣＤエリアセンサ、ＣＭＯＳイメージ・センサ等の固体撮像素子が含まれる。
【００１９】
一方、上記目的を達成するために、請求項６記載の画像表示方法は、撮影によって得られた画像データにより各々示される複数の撮影画像をサムネイルとして表示する画像表示方法であって、表示対象とする撮影画像の条件を示す表示条件情報を入力し、入力した表示条件情報により示される条件に合致する撮影画像を前記複数の撮影画像から検索し、検索した撮影画像が表示手段によりサムネイルとして表示されるように制御するものである。
【００２０】
従って、請求項６に記載の画像表示方法によれば、請求項１に記載の発明と同様に作用するので、請求項１記載の発明と同様に、所望の画像が含まれている撮影画像のみをサムネイル表示することができる。
【発明の効果】
【００２１】
本発明によれば、撮影によって得られた画像データにより各々示される複数の撮影画像をサムネイルとして表示するにあたり、表示対象とする撮影画像の条件を示す表示条件情報を入力し、入力した表示条件情報により示される条件に合致する撮影画像を前記複数の撮影画像から検索し、検索した撮影画像が表示手段によりサムネイルとして表示されるように制御しているので、前記表示条件情報として所望の画像が含まれている撮影画像が特定できる情報を入力することにより、所望の画像が含まれている撮影画像のみをサムネイル表示することができる、という効果が得られる。
【発明を実施するための最良の形態】
【００２２】
以下、図面を参照して、本発明の実施の形態について詳細に説明する。なお、ここでは、本発明を、静止画像の撮影を行うデジタル電子スチルカメラ（以下、「デジタルカメラ」という。）に適用した場合について説明する。
【００２３】
［第１の実施の形態］
まず、図１を参照して、本実施の形態に係るデジタルカメラ１０の外観上の構成を説明する。
【００２４】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２５】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２６】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２７】
また、モード切替スイッチ５６Ｃは、撮影を行うモードである撮影モード及び被写体像を後述するＬＣＤ３８に再生するモードである再生モードの何れかのモードに設定する際に回転操作される。
【００２８】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００２９】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００３０】
次に、図２を参照して、本実施の形態に係るデジタルカメラ１０の電気系の要部構成を説明する。
【００３１】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３２】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３３】
なお、デジタル信号処理部３０は、所定容量のラインバッファを内蔵し、入力されたデジタルデータを後述するメモリ４８の所定領域に直接記憶させる制御も行う。
【００３４】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３５】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３６】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３７】
なお、本実施の形態のデジタルカメラ１０では、メモリ４８としてフラッシュ・メモリ（Flash Memory）が用いられ、メモリカード５２としてスマートメディア（Smart Media（登録商標））が用いられている。
【００３８】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００３９】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４０】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４１】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４２】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４３】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４４】
次に、本実施の形態に係るデジタルカメラ１０の撮影時における全体的な動作について簡単に説明する。
【００４５】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４７】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００４８】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４９】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５０】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００５１】
ここで、本実施の形態に係るデジタルカメラ１０では、当該電子化ファイルのメモリカード５２への記録時に、この時点における所定の撮影条件（ここでは、撮影時における合焦点距離（合焦点に位置される被写体までの距離）、露出値、ホワイトバランス調整に適用したＲ，Ｇ，Ｂ毎のデジタルゲイン値（以下、「ホワイトバランスゲイン値」という。）、撮影時刻の４つの条件）を対応する撮影画像に関連付けて記録する。なお、上記合焦点距離は、合焦時におけるレンズの位置から一意に特定することができる。
【００５２】
なお、本実施の形態に係るデジタルカメラ１０はＥｘｉｆ（Exchangeable Image File Format）規格に対応しており、撮影によって得られたデジタル画像データはＥｘｉｆ規格の電子化ファイルとしてメモリカード５２に記録されるため、上記撮影条件は、対応する撮影画像のデジタル画像データが含まれる電子化ファイルのタグ領域に記録されるが、これに限定されず、撮影画像を示す電子化ファイルとは別の電子化ファイルに、対応する撮影画像を特定可能な識別情報と共に記録する形態や、撮影画像を示す電子化ファイルのファイル名に含める形態等とすることもできる。
【００５３】
ところで、本実施の形態に係るデジタルカメラ１０には、メモリカード５２に記録されている電子化ファイルによって示される複数の撮影画像（被写体像）から、ユーザによって指定された条件に合致する撮影画像を検索してサムネイル表示するサムネイル検索表示機能が搭載されており、当該機能はメニュースイッチを押圧操作することによってＬＣＤ３８に表示されるメニュー画面上で実行を指示することができる。
【００５４】
なお、本実施の形態に係るサムネイル検索表示機能では、上記条件として、ユーザによって指定された画像が含まれる撮影画像、という条件を適用している。
【００５５】
また、本実施の形態に係るサムネイル検索表示機能では、撮影時のホワイトバランスゲイン値に基づいて撮影画像に所定画像が含まれるか否かを判定している。このため、本実施の形態に係るデジタルカメラ１０のメモリ４８の所定領域には、上記所定画像に対するホワイトバランスゲイン値の範囲を表す情報（以下、「ゲイン範囲情報」という。）が上記所定画像の種類毎に予め記憶されている。なお、本実施の形態に係るデジタルカメラ１０では、上記所定画像として、空、海、太陽等といった景色や、人を主要被写体とした際の背景に含まれる画像を適用している。
【００５６】
次に、図３を参照して、サムネイル検索表示機能を実行する際のデジタルカメラ１０の作用を説明する。なお、図３は、メモリカード５２に記録されている何れかの撮影画像がＬＣＤ３８にて再生表示されている状態で、サムネイル検索表示機能の実行が指示された際にデジタルカメラ１０のＣＰＵ４０によって実行されるサムネイル検索表示処理プログラムの処理の流れを示すフローチャートであり、当該プログラムはメモリ４８の所定領域に予め記憶されている。
【００５７】
まず、ステップ１００では、図４に示される画像要素検出処理プログラムを実行する。
【００５８】
すなわち、まず、同図のステップ２００では、この時点でＬＣＤ３８に再生表示されている撮影画像（以下、「処理対象画像」という。）に対応する合焦点距離を当該処理対象画像が記録されている電子化ファイルのタグ領域から読み出す。
【００５９】
次のステップ２０２では、読み出した合焦点距離が所定距離（ここでは、１０ｍ）以下であるか否かを判定し、肯定判定となった場合はステップ２０４に移行して、処理対象画像に人物が写っているか否かを示す人物フラグを人物が写っていることを示す状態（ここでは、オン状態）とし、その後にステップ２０８に移行する。また、上記ステップ２０２において否定判定となった場合にはステップ２０６に移行して、処理対象画像が風景画像であるか否かを示す風景フラグを風景画像であることを示す状態（ここでは、オン状態）とし、その後にステップ２０８に移行する。
【００６０】
すなわち、上記ステップ２０２〜ステップ２０６では、処理対象画像の撮影時における合焦点距離が上記所定距離以下であった場合には人物が写っている可能性が高いものと判断して人物フラグをオン状態とし、他の場合は人物が写っておらず、風景画像である可能性が高いものと判断して風景フラグをオン状態としている。従って、上記所定距離としては、人を主要被写体として撮影する際の当該人までの平均的な距離や最大の距離等として予め統計的に得られた距離等を固定的に適用する形態とすることができる他、ユーザによって任意に指定されたものを適用する形態とすることもできる。
【００６１】
ステップ２０８では、処理対象画像に対応するホワイトバランスゲイン値を当該処理対象画像が記録されている電子化ファイルのタグ領域から読み出す。
【００６２】
次のステップ２１０では、読み出したＲ，Ｇ，Ｂ毎のホワイトバランスゲイン値が各色毎とも上記ゲイン範囲情報の何れかによって示される範囲内となる領域で、かつ所定サイズ（ここでは、処理対象画像の全面積の５０分の１のサイズ）以上のサイズの領域が存在するか否かを判定し、肯定判定となった場合はステップ２１２に移行して、上記ステップ２１０においてホワイトバランスゲイン値が範囲内となるものと判定されたゲイン範囲情報に対応する所定画像（ここでは、‘空’、‘海’、‘太陽’等の何れか）のフラグを、当該所定画像が写っていることを示す状態（ここでは、オン状態）とし、その後に本画像要素検出処理プログラムを終了する。なお、上記ステップ２１０において否定判定となった場合には、上記ステップ２１２の処理を実行することなく本画像要素検出処理プログラムを終了する。
【００６３】
すなわち、上記ステップ２１０，２１２では、ホワイトバランスゲイン値に基づいて、処理対象画像に上記所定画像が写っているか否かを判断し、写っていると判断した場合に当該所定画像のフラグをオン状態としている。
【００６４】
画像要素検出処理プログラムが終了すると、サムネイル検索表示処理プログラム（図３参照。）のステップ１０２に移行し、上述した画像要素検出処理プログラムにおいてオン状態とされたフラグに対応する画像（すなわち、処理対象画像に写っていると判断された画像）の名称を、ユーザによって選択可能な状態で表示中の処理対象画像に重ねて表示した後、次のステップ１０４にて所定情報の入力待ちを行う。
【００６５】
図５には、このときのＬＣＤ３８による表示状態の一例が示されている。同図に示されるように、本実施の形態では、処理対象画像と共に当該処理対象画像に写っているものと判断された画像の名称として、‘人物’、‘空’、‘海’、‘太陽’の４種類の名称が一覧形式で表示される。ＬＣＤ３８の表示状態が同図に示すような状態になると、ユーザは、表示された画像の名称から、サムネイル表示したい撮影画像に含まれる画像に対応する名称を十字カーソルスイッチ５６Ｄの操作によって指定する。これに応じて上記ステップ１０４が肯定判定となってステップ１０６に移行する。
【００６６】
ステップ１０６では、ユーザによって指定された画像が写っている撮影画像をメモリカード５２に記録されている全ての撮影画像から検索する。なお、本実施の形態に係るサムネイル検索表示処理プログラムでは、上記ステップ１０６における検索条件として、ユーザによって指定された画像を上記画像要素検出処理プログラムにおいて検出した際に適用した条件（例えば、指定された画像が人物の場合は、合焦点距離が所定距離以下である、という条件）を適用して検索を行う。
【００６７】
そして、次のステップ１０８では、上記ステップ１０６の処理によって検索された撮影画像をサムネイル画像としてＬＣＤ３８に表示させる処理を行い、その後に本サムネイル検索表示処理プログラムを終了する。
【００６８】
図６には、本サムネイル検索表示処理プログラムによってＬＣＤ３８に表示されたサムネイル画像の表示状態例が示されている。なお、同図では、ユーザにより、図５に示される表示画像において‘空’が指定された場合について示されている。同図に示すように、この場合、空が写っている全ての撮影画像がサムネイル表示されることになる。
【００６９】
以上詳細に説明したように、本実施の形態では、撮影によって得られた画像データにより各々示される複数の撮影画像をサムネイルとして表示するにあたり、表示対象とする撮影画像の条件を示す表示条件情報（ここでは、サムネイル検索表示処理プログラムのステップ１０４において入力される情報）を入力し、入力した表示条件情報により示される条件に合致する撮影画像を前記複数の撮影画像から検索し、検索した撮影画像が表示手段（ここでは、ＬＣＤ３８）によりサムネイルとして表示されるように制御しているので、所望の画像が含まれている撮影画像のみをサムネイル表示することができる。
【００７０】
また、本実施の形態では、前記複数の撮影画像毎の撮影時における撮影条件を示す撮影条件情報（ここでは、撮影時における合焦点距離、露出値、ホワイトバランスゲイン値、撮影時刻の４つの条件）を記憶手段（ここでは、メモリカード５２）によって予め記憶しておき、前記表示条件情報により示される条件に撮影条件が合致する撮影画像を前記複数の撮影画像から検索するものとしているので、撮影画像そのものを用いて検索する場合に比較して、より的確に所望の画像が含まれている撮影画像のみをサムネイル表示することができる。
【００７１】
更に、本実施の形態では、前記撮影条件に、合焦点距離、露出値、及び撮影時刻を含めているので、合焦点距離に基づいて撮影画像における主要被写体までの距離を判断することができる結果、主要被写体が人物であるのか風景であるのか、といったことを判断することができると共に、露出値に基づいて撮影画像が日中に撮影されたものであるのか夜間に撮影されたものであるのか、といったことを判断することができ、かつ撮影時刻に基づいて撮影画像の撮影時刻を判断することができる。
【００７２】
［第２の実施の形態］
本第２の実施の形態では、サムネイル検索表示機能において、ユーザによって指定された特定人物が含まれる画像、又はユーザによって指定された時刻範囲内に撮影された画像、という条件を適用して撮影画像を検索する場合の形態例について説明する。なお、本第２の実施の形態に係るデジタルカメラの構成は、上記第１の実施の形態に係るデジタルカメラ１０と同様であるので、ここでの説明は省略する。
【００７３】
本実施の形態に係るサムネイル検索表示機能では、ユーザによって指定された特定人物が含まれる画像を検索してサムネイル表示する場合、当該特定人物の画像の特徴を示す特徴データをメモリ４８に予め記憶しておき、メモリカード５２に記録されている全ての撮影画像から、上記特定人物の画像との間の上記特徴データにより示される特徴に対する類似の度合いが所定度合い以上であるものを検索し、検索した撮影画像をサムネイルとして表示するようにしている。
【００７４】
なお、本実施の形態に係るデジタルカメラ１０では、上記類似の度合いを、メモリカード５２に記録されている全ての撮影画像と、上記特定人物の画像との間の上記特徴データに関するパターン・マッチングによって導出するものとしており、上記特徴データとして、上記特定人物の画像（ここでは、当該人物の顔が含まれる画像）の特徴を示すデータを辞書としてメモリ４８の所定領域に予め記憶する。本実施の形態に係るデジタルカメラ１０は、上記辞書のメモリ４８への記憶も、メニュースイッチを押圧操作することによってＬＣＤ３８に表示されるメニュー画面に対する操作によって行うことができるものとして構成されている。
【００７５】
なお、上記パターン・マッチングの手法としては、特開平５−１５９０６３号公報、特開平５−１７４１４９号公報、特開２００３−２０８６１７公報等に記載されている手法等の、画像間の類似の度合いを示す値を導出することのできる従来既知のあらゆる手法を適用することができる。本実施の形態に係るデジタルカメラ１０では、上記パターン・マッチングの手法として特開平５−１５９０６３号公報に記載の技術を適用する。
【００７６】
ここで、特開平５−１５９０６３号公報に記載の技術は、検索対象画像をＭ×Ｎ個のブロックに分割し、各ブロックの濃淡又はカラーの代表値を算出（モザイク化）し、辞書データとして記憶しておき、原画像（未知の自然画像）をＰ×Ｑ個のブロックに分割して各ブロックの代表値を算出し（モザイク化）、Ｐ×Ｑ個のブロックから取り出したＭ×Ｎ個のブロックの代表値群と辞書データが表す代表値群との距離を算出することを、Ｍ×Ｎ個のブロックの取り出し位置を順次変更しながら繰り返すことで距離の最小値を求め、距離の最小値を閾値と比較することで検索対象の画像が存在するか否かを判断するものである。
【００７７】
この技術を本実施の形態に係るサムネイル検索表示機能において類似の度合いを導出する技術として適用する場合、上記距離が大きくなるほど小さくなる値を上記類似の度合いとして適用する。また、この場合、上記検索対象画像が上記特定人物の画像に、上記原画像がメモリカード５２に記録されている全ての撮影画像に、各々相当する。
【００７８】
なお、本実施の形態に係るデジタルカメラ１０では、上記特定人物の画像として複数の画像を適用することができ、当該複数の画像について、各々の特徴を示す特徴データを辞書として登録することができる。
【００７９】
以下、図７を参照して、サムネイル検索表示機能を実行する際の本第２の実施の形態に係るデジタルカメラ１０の作用を説明する。なお、図７は、サムネイル検索表示機能の実行が指示された際にデジタルカメラ１０のＣＰＵ４０によって実行される本第２の実施の形態に係るサムネイル検索表示処理プログラムの処理の流れを示すフローチャートであり、当該プログラムはメモリ４８の所定領域に予め記憶されている。
【００８０】
まず、ステップ３００では、予め定められた検索対象入力画面をＬＣＤ３８に表示し、次のステップ３０２にて所定情報の入力待ちを行う。
【００８１】
図８には、本実施の形態に係る検索対象入力画面のＬＣＤ３８による表示状態例が示されている。同図に示されるように、当該検索対象入力画面では、サムネイル表示したい撮影画像の対象の指定を促すメッセージが表示されると共に、予め辞書として登録されている人物の名前と、撮影時刻範囲を示す情報が表示されている。なお、同図に示す例では、上記撮影時刻範囲を示す情報として、朝、昼、夕方、夜の４つの時間帯に分類された時刻範囲が示されている。同図に示されるような検索対象入力画面がＬＣＤ３８に表示されると、ユーザは、サムネイル表示したい撮影画像に写っている人物又はサムネイル表示したい撮影画像の撮影時間帯を十字カーソルスイッチ５６Ｄの操作によって指定する。これに応じて上記ステップ３０２が肯定判定となってステップ３０４に移行する。
【００８２】
ステップ３０４では、ユーザによって指定された人物が写っている撮影画像又はユーザによって指定された撮影時間帯に撮影された撮影画像をメモリカード５２に記録されている全ての撮影画像から検索する。
【００８３】
なお、本実施の形態に係るサムネイル検索表示処理プログラムでは、上記ステップ３０４においてユーザによって指定された人物が写っている撮影画像を検索する場合、メモリカード５２に記録されている全ての撮影画像（伸張処理後の撮影画像）に対し、メモリ４８に記憶されている辞書におけるユーザによって指定された人物に対応する特徴データとの間の前述した手法によるパターン・マッチングを行い、これによって算出される距離の最小値が小さくなるほど大きな値となるように類似度を導出して、当該類似度が所定閾値以上であるものを検索する。なお、本実施の形態では、当該所定閾値として、デジタルカメラ１０実機による実験やデジタルカメラ１０の設計仕様に基づくコンピュータ・シミュレーション等によって、パターン・マッチングの対象となる２つの人物画像が視覚的に似ていると判断される可能性が高い類似度の最小値として統計的に得られた値を固定的に適用しているが、これに限定されず、デジタルカメラ１０を当該閾値が適宜設定することができるように構成しておき、サムネイルの用途や類似度の導出精度等に応じてユーザにより設定する形態とすることもできる。
【００８４】
また、本実施の形態に係るサムネイル検索表示処理プログラムでは、上記ステップ３０４においてユーザによって指定された撮影時間帯に撮影した撮影画像を検索する場合、メモリカード５２に記録されている電子化ファイルのタグ領域から、全ての撮影画像に対応する撮影時刻を読み出し、ユーザによって指定された撮影時間帯に撮影された撮影画像を検出することによって行われる。
【００８５】
そして、次のステップ３０６では、上記ステップ３０４の処理によって検索された撮影画像をサムネイル画像としてＬＣＤ３８に表示させる処理を行い、その後に本サムネイル検索表示処理プログラムを終了する。
【００８６】
以上のサムネイル検索表示処理プログラムの実行により、一例として図６に示されるようなレイアウト構成にて、検索した撮影画像がサムネイル表示されることになる。
【００８７】
以上詳細に説明したように、本実施の形態では、上記第１の実施の形態と同様の効果を奏することができると共に、本発明の表示条件情報によって示される条件として、特定人物が含まれる撮影画像及び指定された時刻範囲内に撮影された撮影画像を適用しているので、指定された人物が写っている撮影画像及び指定された時刻範囲内に撮影された撮影画像の少なくとも一方をサムネイル表示することができる。
【００８８】
なお、上記各実施の形態では、撮影条件として予め撮影画像毎に記録した露出値の利用形態については特に言及しなかったが、当該露出値が所定値以上であるか否かを判定することによって日中に撮影されたものか、夜間に撮影されたものかを判断することができるため、この結果として、日中撮影により得られた撮影画像や、夜間撮影により得られた撮影画像を検索してサムネイル表示することができる。
【００８９】
その他、上記各実施の形態に係るデジタルカメラ１０の構成（図１，図２参照。）は一例であり、本発明の主旨を逸脱しない範囲内において適宜変更可能であることは言うまでもない。
【００９０】
また、上記各実施の形態において説明したサムネイル検索表示処理プログラム及び画像要素検出処理プログラムの各々の処理の流れ（図３、図４、図７参照。）も一例であり、本発明の主旨を逸脱しない範囲内において適宜変更可能であることは言うまでもない。
【００９１】
また、上記各実施の形態において示した各種画面の表示状態（図５、図６、図８参照。）も一例であり、本発明の主旨を逸脱しない範囲内において適宜変更可能であることは言うまでもない。
【００９２】
更に、上記各実施の形態では、本発明をデジタルカメラに適用した場合について説明したが、本発明は、ＰＤＡ、携帯電話機、パーソナル・コンピュータ等、画像表示部を有する情報機器であれば如何なるものにでも適用できることは言うまでもない。
【図面の簡単な説明】
【００９３】
【図１】実施の形態に係るデジタルカメラの外観を示す外観図である。
【図２】実施の形態に係るデジタルカメラの電気系の要部構成を示すブロック図である。
【図３】第１の実施の形態に係るサムネイル検索表示処理プログラムの処理の流れを示すフローチャートである。
【図４】第１の実施の形態に係る画像要素検出処理プログラムの処理の流れを示すフローチャートである。
【図５】第１の実施の形態に係るサムネイル検索表示処理プログラムのステップ１０２の処理によるＬＣＤの表示状態例を示す概略図である。
【図６】第１の実施の形態に係るサムネイル検索表示処理プログラムのステップ１０８の処理によるＬＣＤの表示状態例を示す概略図である。
【図７】第２の実施の形態に係るサムネイル検索表示処理プログラムの処理の流れを示すフローチャートである。
【図８】第２の実施の形態に係る検索対象入力画面の表示状態例を示す概略図である。
【符号の説明】
【００９４】
１０    デジタルカメラ
３８    ＬＣＤ（表示手段）
４０    ＣＰＵ（検索手段、表示制御手段）
４８    メモリ
５２    メモリカード（記憶手段）
５６Ｄ    十字カーソルスイッチ（入力手段）
【図１】
2006237963.tif 000003
【図２】
2006237963.tif 000004
【図３】
2006237963.tif 000005
【図４】
2006237963.tif 000006
【図５】
2006237963.tif 000007
【図６】
2006237963.tif 000008
【図７】
2006237963.tif 000009
【図８】
2006237963.tif 000010